(57)【要約】【課題】室内の負圧状態を検出し、ドレン水の逆流防止のための動作を行えるようにする。【解決手段】ドレン水逆流防止装置は、室外の気圧に対する室内の気圧の負圧状態を検出する負圧状態検出部（３１）と、負圧状態検出部３１が室内の負圧状態を検出したときに、空気調和機のドレン水の逆流を防止するための動作を行う逆流防止対応部（３２）とを備える。【選択図】図２
2019113240.tif 000002
【特許請求の範囲】
【請求項１】
室外の気圧に対する室内の気圧の負圧状態を検出する負圧状態検出部と、
前記負圧状態検出部が前記室内の負圧状態を検出したときに、前記室内に設けられた、ドレン水を排出するドレン水排出装置のドレン水の逆流を防止するための動作を行う逆流防止対応部とを備えていることを特徴とするドレン水逆流防止装置。
【請求項２】
前記負圧状態検出部は、
一端部が前記室内に配置され、他端部が前記室外に配置された管状部材と、
前記管状部材の内部に設けられたスイッチと、
前記管状部材の内部に設けられ、前記室内の気圧が前記室外の気圧よりも低いときに、前記室内と前記室外との気圧差により前記スイッチの方向へ移動して前記スイッチと接触し、前記スイッチをオンにする移動部材とを備えていることを特徴とする請求項１に記載のドレン水逆流防止装置。
【請求項３】
前記負圧状態検出部は、
一端部が前記室内に配置され、他端部が前記室外に配置された管状部材と、
前記管状部材の内部に設けられたスイッチと、
前記管状部材の内部に設けられ、前記室内の気圧が前記室外の気圧よりも低いときに、前記室内と前記室外との気圧差により前記スイッチの方向へ膨張し、前記スイッチに接触して前記スイッチをオンにする膨張部材とを備えていることを特徴とする請求項１に記載のドレン水逆流防止装置。
【請求項４】
前記負圧状態検出部は、
前記室内の空気を前記室外に開放する開閉部に設けられ、前記開閉部の開閉を検出する開閉センサと、
前記開閉センサおよび前記室内に設けられた換気扇と通信し、前記換気扇が回転中であり、かつ前記開閉センサが前記開閉部の閉状態を検出した場合に、前記室内が負圧状態と判定する負圧状態判定部とを備えていることを特徴とする請求項１に記載のドレン水逆流防止装置。
【請求項５】
前記負圧状態検出部は、前記室内の空気調和機および換気扇と通信し、前記空気調和機が運転中であり、かつ前記換気扇が回転中である場合に、前記室内が負圧状態と判定する負圧状態判定部を備えていることを特徴とする請求項１に記載のドレン水逆流防止装置。
【請求項６】
前記逆流防止対応部は、
前記室内が負圧状態であることを知らせ、かつ前記室内の空気を前記室外に開放する開閉部の開放を促す報知を行う負圧状態報知部と、
前記負圧状態検出部が前記室内の負圧状態を検出したときに、前記負圧状態報知部を動作させる報知制御部とを備えていることを特徴とする請求項１から５のいずれか１項に記載のドレン水逆流防止装置。
【請求項７】
前記ドレン水排出装置は空気調和機であり、
前記逆流防止対応部は、
前記室内の空気調和機と通信し、前記空気調和機が運転中であるかどうかの情報を取得する情報取得部と、
前記負圧状態検出部が前記室内の負圧状態を検出し、かつ前記空気調和機が運転中である場合に、前記空気調和機の圧縮機の回転速度が低下するように、前記空気調和機を制御する空気調和機制御部を備えていることを特徴とする請求項１から５のいずれか１項に記載のドレン水逆流防止装置。
【請求項８】
前記ドレン水排出装置は空気調和機であり、
前記逆流防止対応部は、
前記室内の空気調和機および換気扇と通信し、前記空気調和機および前記換気扇が運転中であるかどうかの情報、並びに前記空気調和機の圧縮機および前記換気扇の回転速度の設定に関する情報を取得する情報取得部と、
前記負圧状態検出部が前記室内の負圧状態を検出し、かつ前記空気調和機および前記換気扇が運転中である場合に、前記換気扇の回転速度が速いほど前記圧縮機の回転速度の低下の程度が大きくなるように、前記空気調和機を制御する空気調和機制御部を備えていることを特徴とする請求項１から５のいずれか１項に記載のドレン水逆流防止装置。
【発明の詳細な説明】
【技術分野】
【０００１】
本発明は、空気調和機等のドレン水の逆流防止のための動作を行うドレン水逆流防止装置に関する。
【背景技術】
【０００２】
現在の住宅の多くは、高気密性を追求した設計となっており、そのような住宅には２４時間換気システムを設置することが義務付けられている。このような住宅において、炊事の際などに台所の換気扇を高速回転させると、室内の気圧は、著しく低下し、外気の気圧に対して負圧の状態となる。このように室内が負圧の状態では、空気調和機のドレンホースから外気が流れ込み、ドレン水が逆流する場合がある。
【０００３】
ドレン水の逆流防止策として、従来は、ドレンホースに逆止弁を取り付ける構成が一般的である。また、特許文献１では、ドレンホースにトラップ構造を設けることで逆流を防止しするようにしている。
【先行技術文献】
【特許文献】
【０００４】
【特許文献１】特許４５１９６９８号公報
【発明の概要】
【発明が解決しようとする課題】
【０００５】
しかしながら、上記従来のように、ドレンホースに逆止弁を取り付ける構成は、次のような問題点を有している。すなわち、ドレンホース内のドレン水は、室内の負圧の状態が続くとドレンホース内に長期間溜まった状態となり、腐敗してスライム状になる。この場合、逆止弁は、腐敗したドレン水によって機能を損なわれる。
【０００６】
また、特許文献１のように、ドレンホースにトラップ部を設ける構成では、トラップ部のドレン水は、長期間溜まった状態になると、同様に腐敗する。このため、ドレンホースの詰まりやカビの発生等を生じる虞がある。
【０００７】
一方、室内が負圧状態であることを検出し、室内にいる人や装置が室内の負圧状態を解消するための動作を行えば空気調和機のドレン水の逆流を防止することができる。
【０００８】
したがって、本発明の一態様は、室内の負圧状態を検出し、ドレン水の逆流防止のための動作を行うドレン水逆流防止装置の提供を目的としている。
【課題を解決するための手段】
【０００９】
上記の課題を解決するために、本発明の一態様に係るドレン水逆流防止装置は、室外の気圧に対する室内の気圧の負圧状態を検出する負圧状態検出部と、前記負圧状態検出部が前記室内の負圧状態を検出したときに、前記室内に設けられた、ドレン水を排出するドレン水排出装置のドレン水の逆流を防止するための動作を行う逆流防止対応部とを備えている。
【発明の効果】
【００１０】
本発明の一態様によれば、室内の負圧状態を検出し、ドレン水の逆流防止のための動作を行うことができる。
【図面の簡単な説明】
【００１１】
【図１】本発明の実施形態のドレン水逆流防止装置を備えた空気調和機を示す概略の側面図である。
【図２】本発明の実施形態のドレン水逆流防止装置の構成を示すブロック図である。
【図３】図３の（ａ）は、本発明の実施形態のドレン水逆流防止装置が備える負圧状態検出部の負圧の非検出状態を示す説明図、図３の（ｂ）は、図３の（ａ）に示した負圧状態検出部における負圧の検出状態を示す説明図である。
【図４】図４の（ａ）は、本発明の他の実施形態のドレン水逆流防止装置が備える負圧状態検出部における負圧の非検出状態を示す説明図、図４の（ｂ）は、図４の（ａ）に示した負圧状態検出部における負圧の検出状態を示す説明図である。
【図５】本発明のさらに他の実施形態のドレン水逆流防止装置が備える負圧状態検出部の構成を示す説明図である。
【図６】図５に示した負圧状態検出部の構成を示すブロック図である。
【図７】図６に示した負圧状態検出部の動作を示すフローチャートである。
【図８】本発明のさらに他の実施形態のドレン水逆流防止装置が備える負圧状態検出部の構成を示すブロック図である。
【図９】図８に示した負圧状態検出部の動作を示すフローチャートである。
【図１０】本発明のさらに他の実施形態のドレン水逆流防止装置の構成を示すブロック図である。
【図１１】図１０に示した空気調和機制御部による、空気調和機の圧縮機の換気扇の回転速度に応じた回転速度の制御内容を説明する表である。
【図１２】図１０に示したドレン水逆流防止装置の動作を示すフローチャートである。
【図１３】図１０に示したドレン水逆流防止装置の他の動作を示すフローチャートである。
【発明を実施するための形態】
【００１２】
〔実施形態１〕
（空気調和機１１の構成の概要）
本発明の実施形態について、以下に説明する。図１は本実施形態の空気調和機１１を示す概略の側面図である。
【００１３】
図１に示すように、空気調和機（ドレン水排出装置）１１は、部屋１の壁２の上部に取り付けられている。空気調和機１１は、例えば冷房、暖房、除湿および送風の各機能等を備えている。空気調和機１１は、ドレンパン２１、ドレンホース２２および補助ホース（管状部材）２３を備えている。ドレンパン２１は空気調和機１１の内部に設けられ、空気調和機１１の内部にて発生したドレン水を受け入れる。ドレンホース２２は、ドレンパン２１内のドレン水を屋外へ排出する。このために、ドレンホース２２は、一端部がドレンパン２１に接続され、他端部が屋外へ引き出されている。補助ホース２３は、一端部が空気調和機１１の内部あるいは部屋１の内部に配置され、他端部がドレンホース２２と同様、屋外へ引き出されている。
【００１４】
（ドレン水逆流防止装置５１の構成）
図２は、本実施形態のドレン水逆流防止装置５１の構成を示すブロック図である。図２に示すように、ドレン水逆流防止装置５１は、負圧状態検出部３１および逆流防止対応部３２を有する。
【００１５】
負圧状態検出部３１は、部屋１の室外の気圧に対する室内すなわち部屋１の内部の気圧の負圧状態を検出する。逆流防止対応部３２は、負圧状態検出部３１が部屋１の負圧状態を検出したときに、空気調和機１１のドレン水の逆流を防止するための動作を行う。
【００１６】
（負圧状態検出部３１の構成）
図３の（ａ）は、本実施形態の負圧状態検出部３１における負圧の非検出状態を示す説明図、図３の（ｂ）は、図３の（ａ）に示した負圧状態検出部３１における負圧の検出状態を示す説明図である。
【００１７】
図３の（ａ）（ｂ）に示すように、負圧状態検出部３１は、補助ホース２３の内部に設けられ、揺動部材（移動部材）４１、係止部材４２、ばね取付け部材４３、圧縮ばね４４およびスイッチ４５を備えている。
【００１８】
揺動部材４１は、補助ホース２３を塞ぐ形状を有し、上端部を中心として搖動可能（回転可能）である。係止部材４２は、室外側への揺動部材４１の搖動を規制する。
【００１９】
ばね取付け部材４３は、揺動部材４１よりも室内側の位置に固定されている。圧縮ばね４４は、一端部が揺動部材４１の下部に取り付けられ、他端部がばね取付け部材４３に取り付けられている。圧縮ばね４４は、揺動部材４１を係止部材４２の方向へ押している。
【００２０】
スイッチ４５は、揺動部材４１が室内側へ搖動したときに、揺動部材４１の下部が当接するとオンになり、揺動部材４１の下部が離れるとオフになる。
【００２１】
（逆流防止対応部３２の構成）
本実施形態の逆流防止対応部３２は、例えば空気調和機１１に設けられており、報知制御部６１および負圧状態報知部６２を備えている。
【００２２】
報知制御部６１は、例えばマイクロコンピュータからなり、負圧状態検出部３１が部屋１の負圧状態を検出し、スイッチ４５がオンになると、負圧状態報知部６２を動作させる。
【００２３】
負圧状態報知部６２は、音声あるいは表示またはそれら両方によって、室内が負圧状態であることを知らせ、かつ室内の空気を前記室外に開放する開閉部の開放を促す報知を部屋１に居る人に対して行う。したがって、負圧状態報知部６２は、音声によって報知する場合、音声信号出力部およびスピーカ等、音声発生のための構成を備える。また、負圧状態報知部６２は、表示によって報知する場合、液晶表示装置等の表示装置を備える。
【００２４】
（ドレン水逆流防止装置５１の動作）
上記の構成において、ドレン水逆流防止装置５１の動作について以下に説明する。部屋１が高気密性を有している場合に換気扇を高速回転させると、部屋１は負圧状態となる。
【００２５】
負圧状態検出部３１は、部屋１が所定値以上の負圧状態（以下、過負圧状態と称する）であることを検出する。負圧状態検出部３１は、部屋１が負圧状態でない場合、および負圧状態であっても所定値未満の負圧状態（以下、非過負圧状態と称する）である場合、図３の（ａ）に示したように、揺動部材４１は圧縮ばね４４に押されて係止部材４２に当接している。一方、負圧状態検出部３１は、部屋１が過負圧状態になると、室内側と室内側との圧力差によって、図３の（ｂ）に示したように、揺動部材４１が室内側へ回転し、スイッチ４５に当接する。これによりスイッチ４５がオンとなり、負圧状態検出部３１は部屋１が過負圧状態であることを検出する。
【００２６】
逆流防止対応部３２の報知制御部６１は、負圧状態検出部３１のスイッチ４５がオンになると、負圧状態報知部６２を動作させる。負圧状態報知部６２は、部屋１が過負圧状態であること知らせ、窓やドアの開放を促す報知を行う。これにより、部屋１に居る人は、部屋１が過負圧状態であることを知り、窓またはドアを開放し、部屋１の過負圧状態が解消される。したがって、空気調和機１１のドレン水の逆流を防止することができる。
【００２７】
また、負圧状態検出部３１では、部屋１が過負圧状態となって揺動部材４１がスイッチ４５の方向へ搖動した場合に、補助ホース２３を通じて外気が室内側へ流入する。したがって、補助ホース２３を通じて室内側へ流入する外気の分だけ、ドレンホース２２を通じて流入する外気の量が減り、これによってもドレン水の逆流を抑制することができる。
【００２８】
なお、本実施形態では、負圧状態検出部３１は、室内の過負圧状態を検出ものとした。しかしながら、負圧状態検出部３１は、室内の過負圧状態にかぎらず、負圧状態を検出するものであってもよい。この場合、逆流防止対応部３２は、負圧状態検出部３１がヘアの負圧状態を検出した場合に動作する。この点は、以下の他の実施形態においても同様である。
【００２９】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００３０】
（ドレン水逆流防止装置５２の構成）
本実施形態のドレン水逆流防止装置５２は、図３の（ａ）（ｂ）に示した負圧状態検出部３１に代えて、図４の（ａ）（ｂ）に示す負圧状態検出部７１を備えている。ドレン水逆流防止装置５２の他の構成はドレン水逆流防止装置５１と同様である。
【００３１】
（負圧状態検出部７１の構成）
図４の（ａ）は、本実施形態の負圧状態検出部７１における負圧の非検出状態を示す説明図、図４の（ｂ）は、図４の（ａ）に示した負圧状態検出部７１における負圧の検出状態を示す説明図である。
【００３２】
図４の（ａ）（ｂ）に示すように、負圧状態検出部７１は、補助ホース２３の内部に設けられ、仕切板７２、膨張部材７３およびスイッチ７４を備えている。
【００３３】
仕切板７２は、補助ホース２３を塞ぐ形状を有し、中心部に開口部７２ａが形成されている。膨張部材７３は、風船状の部材であり、仕切板７２の開口部７２ａに取り付けられ、室外側に対して室内側が負圧になった場合に膨らむようになっている。スイッチ７４は、膨らんだ膨張部材７３が当接するとオンになり、膨張部材７３が離れるとオフになる。
【００３４】
（ドレン水逆流防止装置５２の動作）
上記の構成において、ドレン水逆流防止装置５２の動作について以下に説明する。負圧状態検出部７１は、過負圧状態でない場合、図４の（ａ）に示したように、膨張部材７３が萎んだ状態である。一方、負圧状態検出部７１は、過負圧状態になると、図４の（ｂ）に示したように、膨張部材７３が膨らんでスイッチ７４に当接する。これによりスイッチ７４がオンとなり、負圧状態検出部７１は部屋１が過負圧状態であることを検出する。
【００３５】
逆流防止対応部３２は、前記実施形態の場合と同じ動作を行い、部屋１に居る人は、部屋１が過負圧状態であることを知り、部屋１の開閉部（窓またはドア）を開放し、部屋１の過負圧状態が解消される。したがって、空気調和機１１のドレン水の逆流を防止することができる。
【００３６】
また、負圧状態検出部７１は、仕切板７２および膨張部材７３が存在することにより、補助ホース２３内において外気と内気とを遮断している。したがって、補助ホース２３を通じて虫、ゴミあるいはほこり等が空気調和機１１の内部または部屋１の内部へ入り込む事態を防止することができる。
【００３７】
また、湿度が非常に高い地方では、外気が部屋１の内部に入り込むことにより、ドレン水の発生量が著しく増加する。負圧状態検出部７１は、補助ホース２３を通じて外気が部屋１の中に入り込むことがないので、そのような地方に好適である。
【００３８】
〔実施形態３〕
本発明のさらに他の実施形態について、以下に説明する。なお、説明の便宜上、上記実施形態にて説明した部材と同じ機能を有する部材については、同じ符号を付記し、その説明を繰り返さない。
【００３９】
（ドレン水逆流防止装置５３の構成）
本実施形態のドレン水逆流防止装置５３（図２参照）は、図３の（ａ）（ｂ）に示した負圧状態検出部３１に代えて、図５に示す負圧状態検出部８１を備えている。ドレン水逆流防止装置５３の他の構成はドレン水逆流防止装置５１と同様である。
【００４０】
（負圧状態検出部８１の構成）
図５は、本実施形態の負圧状態検出部８１の構成を示す説明図である。図６は、本実施形態の負圧状態検出部８１の構成を示すブロック図である。
【００４１】
図５に示すように、部屋１には空気調和機１１、換気扇１２、出入口ドア（開閉部）１３、窓（開閉部）１４およびベランダ出入口ドア（開閉部）１５が設けられている。換気扇１２は、低速から高速まで回転速度を複数段階に切り替え可能である。出入口ドア１３は部屋１への出入口のドアである。ベランダ出入口ドア１５はベランダへの出入口のドアである。出入口ドア１３、窓１４およびベランダ出入口ドア１５には、それらが閉状態であるか開状態であるかを検出する開閉センサ１６が設けられている。
【００４２】
図６に示すように、負圧状態検出部８１はサーバ８２および開閉センサ１６を備えている。換気扇１２および開閉センサ１６は、サーバ８２との通信機能を有し、サーバ８２は、換気扇１２および開閉センサ１６と通信する。
【００４３】
（ドレン水逆流防止装置５３の動作）
上記の構成において、ドレン水逆流防止装置５３の動作について以下に説明する。図７は、負圧状態検出部８１の動作を示すフローチャートである。
【００４４】
負圧状態検出動作において、負圧状態検出部８１のサーバ（負圧状態判定部、情報取得部）８２は、換気扇１２と通信し、換気扇１２が高速回転状態であるかどうかを判定する（Ｓ１１）。
【００４５】
Ｓ１１の判定結果がＹＥＳの場合、サーバ８２は、各開閉センサ１６と通信し、いずれかの開閉センサ１６が開状態を検出しているかどうかを判定する（Ｓ１２）。
【００４６】
Ｓ１２の判定結果がＹＥＳであれば、サーバ８２は部屋１が過負圧状態と判定する（Ｓ１３）。なお、Ｓ１１とＳ１２との判定動作は、順序が逆であってもよい。
【００４７】
一方、Ｓ１１の判定結果がＮＯの場合、あるいはＳ１２の判定結果がＮＯの場合、サーバ８２は、部屋１が過負圧状態でないと判定する（Ｓ１４）。
【００４８】
上記のように、換気扇１２が高速回転状態であり、かつ出入口ドア１３、窓１４およびベランダ出入口ドア１５のいずれもが閉状態であれば、部屋１は過負圧状態になっていると考えられる。このような状況の場合に、負圧状態検出部８１は過負圧状態と判定している。
【００４９】
逆流防止対応部３２は、前記実施形態の場合と同じ動作を行い、部屋１に居る人は、部屋１が過負圧状態であることを知り、窓またはドアを開放し、部屋１の過負圧状態が解消される。したがって、空気調和機１１のドレン水の逆流を防止することができる。
【００５０】
なお、上述したサーバ８２の構成は、空気調和機１１が備えていてもよい。この場合にはサーバ８２が不要となる。
【００５１】
また、本実施形態では、室内が過負圧状態（負圧状態）であると判定する場合の換気扇１２の条件を換気扇１２が高速回転とした。しかしながら、換気扇１２の条件は、例えば換気扇１２が回転速度の切り替えができない構成である場合など、換気扇１２が単に回転していることであってもよい。この点は、他の実施形態においても同様である。
【００５２】
〔実施形態４〕
本発明のさらに他の実施形態について、以下に説明する。なお、説明の便宜上、上記実施形態にて説明した部材と同じ機能を有する部材については、同じ符号を付記し、その説明を繰り返さない。
【００５３】
（ドレン水逆流防止装置５４の構成）
本実施形態のドレン水逆流防止装置５４（図２参照）は、図３の（ａ）（ｂ）に示したドレン水逆流防止装置５１に代えて、図８に示す負圧状態検出部９１を備えている。ドレン水逆流防止装置５４の他の構成はドレン水逆流防止装置５１と同様である。
【００５４】
（負圧状態検出部９１の構成）
図８は、本実施形態の負圧状態検出部９１の構成を示すブロック図である。図５および図８に示すように、負圧状態検出部９１はサーバ（負圧状態判定部、情報取得部）９２を備えている。空気調和機１１および換気扇１２は、サーバ９２との通信機能を有し、サーバ９２は、空気調和機１１および換気扇１２と通信する。
【００５５】
（ドレン水逆流防止装置５４の動作）
上記の構成において、ドレン水逆流防止装置５４の動作について以下に説明する。図９は、負圧状態検出部９１の動作を示すフローチャートである。
【００５６】
負圧状態検出動作において、負圧状態検出部９１のサーバ９２は、空気調和機１１と通信し、空気調和機１１が運転中かどうかを判定する（Ｓ２１）。
【００５７】
Ｓ２１の判定結果がＹＥＳの場合、サーバ９２は、換気扇１２と通信し、換気扇１２が高速回転状態であるかどうかを判定する（Ｓ２２）。
【００５８】
Ｓ２２の判定結果がＹＥＳであれば、サーバ９２は部屋１が過負圧状態と判定する（Ｓ２３）。
【００５９】
一方、Ｓ２２の判定結果がＮＯの場合、サーバ９２は、部屋１が過負圧状態でないと判定する（Ｓ２４）。
【００６０】
空気調和機１１が運転中であれば、出入口ドア１３、窓１４およびベランダ出入口ドア１５は通常閉じられており、換気扇１２が高速回転状態であれば、部屋１は過負圧状態になっていると考えられる。このような状況の場合に、負圧状態検出部９１は室内が過負圧状態であると判定する。
【００６１】
逆流防止対応部３２は、前記実施形態の場合と同じ動作を行い、部屋１に居る人は、部屋１が過負圧状態であることを知り、窓またはドアを開放し、部屋１の過負圧状態が解消される。したがって、空気調和機１１のドレン水の逆流を防止することができる。
【００６２】
なお、上述したサーバ９２の構成は、空気調和機１１が備えていてもよい。この場合にはサーバ９２が不要となる。
【００６３】
〔実施形態５〕
本発明のさらに他の実施形態について、以下に説明する。なお、説明の便宜上、上記実施形態にて説明した部材と同じ機能を有する部材については、同じ符号を付記し、その説明を繰り返さない。
【００６４】
（ドレン水逆流防止装置５５の構成）
図１０は、本実施形態のドレン水逆流防止装置５５の構成を示すブロック図である。図１０に示すように、ドレン水逆流防止装置５５は、負圧状態検出部３１および逆流防止対応部１０１を備えている。なお、負圧状態検出部３１に代えて負圧状態検出部７１，８１，９１のいずれかを備えていてもよい。
【００６５】
（逆流防止対応部１０１の構成）
図１１は、空気調和機制御部１０２による、空気調和機１１の圧縮機の換気扇１２の回転速度に応じた回転速度の制御内容を説明する表である。なお、図１１は、逆流防止対応部１０１の制御内容の理解を容易にするために示したものであり、実際の設計において、図１１の数値を使用するとは限らない。
【００６６】
逆流防止対応部１０１は、サーバ９２および空気調和機制御部１０２を備えている。サーバ９２は、通信機能を有する空気調和機１１および換気扇１２と通信し、換気扇１２が運転中か停止中かの情報、および運転中である場合の回転速度についての情報を取得する。
【００６７】
空気調和機制御部１０２は、例えばマイクロコンピュータからなり、負圧状態検出部３１が部屋１の過負圧状態を検出した場合に、サーバ９２と通信し、換気扇１２に関する上記情報を取得する。この場合、換気扇１２が回転中であれば、換気扇１２の回転速度に応じて、ドレン水の発生が抑制されるように、空気調和機１１の圧縮機の回転速度を制御するか圧縮機を停止させる。
【００６８】
具体的には、図１１に示すように、空気調和機制御部１０２は、換気扇１２の停止時（空気調和機１１の通常運転時）における圧縮機の回転速度に対し、換気扇１２の回転速度が速いほど（換気扇の強弱の設定が強側であるほど）、圧縮機の回転速度の下げ幅が大きくなるように、空気調和機１１を制御する。
【００６９】
（ドレン水逆流防止装置５３の動作）
上記の構成において、ドレン水逆流防止装置５５の動作について以下に説明する。図１２は、ドレン水逆流防止装置５５の動作を示すフローチャートである。
【００７０】
空気調和機１１は、起動すると（Ｓ３１）、室温および設定温度等から、圧縮機の回転速度（Ｓ３２）を決定する。
【００７１】
次に、空気調和機制御部１０２は、負圧状態検出部３１が室内の過負圧状態を検出していると（Ｓ３３）、サーバ９２と通信し、換気扇１２が回転中であるかどうかを判定する（Ｓ３４）。
【００７２】
空気調和機制御部１０２は、Ｓ３４での判定の結果、換気扇１２が回転中であれば、換気扇１２の回転速度の設定を取得し、取得した換気扇１２の回転速度の設定と、圧縮機の現状の回転速度とを参照して、圧縮機の回転速度の低下分（低下させる回転数）を決定する（Ｓ３５）。
【００７３】
次に、空気調和機制御部１０２は低下分を差し引いた回転速度にて圧縮機が回転するように空気調和機１１を制御する（Ｓ３６）。これにより、圧縮機は、回転速度が低下するか、あるいは停止する。
【００７４】
その後、Ｓ３６の制御開始から一定時間が経過するか（Ｓ３７）、ユーザにより空気調和機１１の運転状態がリセットされると（Ｓ３８）、Ｓ３２に戻って、空気調和機１１の運転停止の指示が入力されるまで、それ以下の動作を繰り返す。
【００７５】
上記のように、ドレン水逆流防止装置５５は、空気調和機１１および換気扇１２が運転状態であり、負圧状態検出部３１が過負圧状態を検出した場合に、換気扇１２の回転速度の設定に応じて、空気調和機１１の圧縮機の回転速度を低下させ、あるいは圧縮機を停止させるようにしている。これにより、空気調和機１１でのドレン水の発生が抑制され、その結果、ドレン水の逆流を防止することができる。
【００７６】
なお、上述したサーバ９２の構成は、空気調和機１１が備えていてもよい。この場合にはサーバ９２が不要となる。
【００７７】
また、ドレン水逆流防止装置５５が備える逆流防止対応部１０１は、図２に示した逆流防止対応部３２が備える報知制御部６１および負圧状態報知部６２をさらに備えていてもよい。この場合のドレン水逆流防止装置５５の動作は、図１３のフローチャートのように、Ｓ４１の動作が加わった状態となる。Ｓ４１では、負圧状態報知部６２は、部屋１が過負圧状態であること、窓やドアを開放することを報知する。この場合、部屋１に居る人は、部屋１が過負圧状態であることを知り、部屋１の開閉部（窓またはドア）を開放し、部屋１の過負圧状態が解消され、空気調和機１１のドレン水の逆流を確実に防止することができる。
【００７８】
なお、本実施形態では、空気調和機制御部１０２は、負圧状態検出部３１が室内の負圧状態を検出した場合に、換気扇１２の回転速度が速いほど空気調和機１１の圧縮機の回転速度の低下の程度が大きくなるように、空気調和機１１を制御している。しかしながら、空気調和機制御部１０２は、負圧状態検出部３１が室内の負圧状態を検出し、空気調和機１１が運転中である場合に、空気調和機１１の圧縮機の回転速度が低下するように、空気調和機１１を制御する構成であってもよい。
【００７９】
〔まとめ〕
本発明の態様１に係るドレン水逆流防止装置は、室外の気圧に対する室内の気圧の負圧状態を検出する負圧状態検出部３１と、前記負圧状態検出部３１が前記室内の負圧状態を検出したときに、前記室内に設けられた、ドレン水を排出するドレン水排出装置（例えば空気調和機１１）のドレン水の逆流を防止するための動作を行う逆流防止対応部３２とを備えている。
【００８０】
上記の構成によれば、逆流防止対応部３２は、負圧状態検出部３１が室内の負圧状態を検出したときに、ドレン水排出装置（例えば空気調和機１１）のドレン水の逆流を防止するための動作を行う。これにより、ドレン水排出装置のドレン水が室内の負圧状態によって室内へ逆流する事態を防止することができる。
【００８１】
本発明の態様２に係るドレン水逆流防止装置は、上記態様１において、前記負圧状態検出部３１は、一端部が前記室内に配置され、他端部が前記室外に配置された管状部材（補助ホース２３）と、前記管状部材の内部に設けられたスイッチ４５と、前記管状部材の内部に設けられ、前記室内の気圧が前記室外の気圧よりも低いときに、前記室内と前記室外との気圧差により前記スイッチ４５の方向へ移動して前記スイッチ４５と接触し、前記スイッチ４５をオンにする移動部材（揺動部材４１）とを備えている。
【００８２】
上記の構成によれば、負圧状態検出部３１では、室内の気圧が室外の気圧よりも低いときに、移動部材が室内と室外との気圧差によりスイッチ４５の方向へ移動してスイッチ４５と接触し、スイッチ４５をオンにする。これにより、負圧状態検出部３１では、簡単な構成にて室内の負圧状態を検出することができる。
【００８３】
本発明の態様３に係るドレン水逆流防止装置は、上記態様１において、前記負圧状態検出部７１は、一端部が前記室内に配置され、他端部が前記室外に配置された管状部材（補助ホース２３）と、前記管状部材の内部に設けられたスイッチ７４と、前記管状部材の内部に設けられ、前記室内の気圧が前記室外の気圧よりも低いときに、前記室内と前記室外との気圧差により前記スイッチ７４の方向へ膨張し、前記スイッチ７４に接触して前記スイッチ７４をオンにする膨張部材７３とを備えている。
【００８４】
上記の構成によれば、前記負圧状態検出部７１では、室内の気圧が室外の気圧よりも低いときに、膨張部材７３が室内と室外との気圧差によりスイッチ７４の方向へ膨張し、スイッチ７４に接触してスイッチ７４をオンにする。
【００８５】
これにより、負圧状態検出部７１では、簡単な構成にて室内の負圧状態を検出することができる。また、負圧状態検出部７１では、管状部材内において膨張部材７３により外気と内気とを遮断することができるので、管状部材を通じて虫、ゴミあるいはほこり等がドレン水排出装置（例えば空気調和機１１）の内部または室内へ入り込む事態を防止することができる。さらに、管状部材を介して湿度の高い外気が室内へ入り込む事態を防止することができる。
【００８６】
本発明の態様４に係るドレン水逆流防止装置は、上記態様１において、前記負圧状態検出部８１は、前記室内の空気を前記室外に開放する開閉部（出入口ドア１３、窓１４、ベランダ出入口ドア１５）に設けられ、前記開閉部の開閉を検出する開閉センサ１６と、前記開閉センサ１６および前記室内に設けられた換気扇１２と通信し、前記換気扇１２が回転中であり、かつ前記開閉センサ１６が前記開閉部の閉状態を検出した場合に、前記室内が負圧状態と判定する負圧状態判定部（サーバ８２）とを備えている。
【００８７】
上記の構成によれば、負圧状態判定部は、開閉センサ１６および換気扇１２と通信し、換気扇１２が回転中であり、かつ開閉センサ１６が開閉部の閉状態を検出した場合に、室内が負圧状態と判定する。これにより、負圧状態検出部８１は、室内の負圧状態を適切に検出することができる。
【００８８】
本発明の態様５に係るドレン水逆流防止装置は、上記態様１において、前記負圧状態検出部９１は、前記室内の空気調和機１１および換気扇１２と通信し、前記空気調和機１１が運転中であり、かつ前記換気扇１２が回転中である場合に、前記室内が負圧状態と判定する負圧状態判定部（サーバ９２）を備えている。
【００８９】
上記の構成によれば、負圧状態判定部は、室内の空気調和機１１および換気扇１２と通信し、空気調和機１１が運転中であり、かつ換気扇１２が回転中である場合に、室内が負圧状態と判定する。この判定では、空気調和機１１が運転中であれば。開閉部（出入口ドア１３、窓１４、ベランダ出入口ドア１５）が閉状態であると見なし、この状態において換気扇１２が回転中であれば室内が負圧状態になると判断する。これにより、負圧状態検出部９１は、室内の負圧状態を適切に検出することができる。
【００９０】
本発明の態様６に係るドレン水逆流防止装置は、上記態様１から５のいずれか１態様において、前記逆流防止対応部３２は、前記室内が負圧状態であることを知らせ、かつ前記室内の空気を前記室外に開放する開閉部（出入口ドア１３、窓１４、ベランダ出入口ドア１５）の開放を促す報知を行う負圧状態報知部６２と、前記負圧状態検出部３１が前記室内の負圧状態を検出したときに、前記負圧状態報知部６２を動作させる報知制御部６１とを備えている。
【００９１】
上記の構成によれば、報知制御部６１は、負圧状態検出部３１が室内の負圧状態を検出したときに、負圧状態報知部６２を動作させる。これにより、負圧状態報知部６２は、室内が負圧状態であることを知らせ、かつ開閉部の開放を促す報知を行う。これにより、負圧状態報知部６２の報知を受けた人は開閉部を開放することができ、室内の負圧状態を解消することができる。この結果、ドレン水排出装置（例えば空気調和機１１）のドレン水が室内へ逆流する事態を防止することができる。
【００９２】
本発明の態様７に係るドレン水逆流防止装置は、上記態様１から５のいずれか１態様において、前記ドレン水排出装置は空気調和機１１であり、前記逆流防止対応部３２は、前記室内の空気調和機１１と通信し、前記空気調和機１１が運転中であるかどうかの情報を取得する情報取得部（サーバ９２）と、前記負圧状態検出部３１が前記室内の負圧状態を検出し、かつ前記空気調和機１１が運転中である場合に、前記空気調和機１１の圧縮機の回転速度が低下するように、前記空気調和機１１を制御する空気調和機制御部１０２を備えている。
【００９３】
上記の構成によれば、空気調和機制御部１０２は、負圧状態検出部３１が室内の負圧状態を検出し、かつ空気調和機１１が運転中である場合に、空気調和機１１の圧縮機の回転速度が低下するように、空気調和機１１を制御する。
【００９４】
これにより、逆流防止対応部３２は、空気調和機１１が発生するドレン水の量を減少させることができる。この結果、空気調和機１１のドレン水が室内へ逆流する事態を防止することができる。
【００９５】
本発明の態様８に係るドレン水逆流防止装置は、上記態様１から５のいずれか１態様において、前記ドレン水排出装置は空気調和機１１であり、前記逆流防止対応部３２は、前記室内の空気調和機１１および換気扇１２と通信し、前記空気調和機１１および前記換気扇１２が運転中であるかどうかの情報、並びに前記空気調和機１１の圧縮機および前記換気扇１２の回転速度の設定に関する情報を取得する情報取得部（サーバ９２）と、前記負圧状態検出部３１が前記室内の負圧状態を検出し、かつ前記空気調和機１１および前記換気扇１２が運転中である場合に、前記換気扇１２の回転速度が速いほど前記圧縮機の回転速度の低下の程度が大きくなるように、前記空気調和機１１を制御する空気調和機制御部１０２を備えている。
【００９６】
上記の構成によれば、空気調和機制御部１０２は、負圧状態検出部３１が室内の負圧状態を検出し、かつ空気調和機１１および換気扇１２が運転中である場合に、換気扇１２の回転速度が速いほど空気調和機１１の圧縮機の回転速度の低下の程度が大きくなるように、空気調和機１１を制御する。
【００９７】
これにより、逆流防止対応部３２では、換気扇１２の回転速度が速いほど、空気調和機１１の圧縮機の回転速度の低下の程度が大きくなり、空気調和機１１が発生するドレン水の量が減少する。この結果、空気調和機１１のドレン水が室内へ逆流する事態を防止することができる。
【００９８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９９】
１    部屋
１１    空気調和機（ドレン水排出装置）
１２    換気扇
１３    出入口ドア（開閉部）
１４    窓（開閉部）
１５    ベランダ出入口ドア（開閉部）
１６    開閉センサ
２１    ドレンパン
２２    ドレンホース
２３    補助ホース（管状部材）
３１，７１，８１，９１    負圧状態検出部
３２    逆流防止対応部
４１    揺動部材（移動部材）
４２    係止部材
４３    ばね取付け部材
４４    圧縮ばね
４５，７４    スイッチ
５１〜５５    ドレン水逆流防止装置
６１    報知制御部
６２    負圧状態報知部
７２    仕切板
７３    膨張部材
８２，９２    サーバ（負圧状態判定部、情報取得部）
【図１】
2019113240.tif 000003
【図２】
2019113240.tif 000004
【図３】
2019113240.tif 000005
【図４】
2019113240.tif 000006
【図５】
2019113240.tif 000007
【図６】
2019113240.tif 000008
【図７】
2019113240.tif 000009
【図８】
2019113240.tif 000010
【図９】
2019113240.tif 000011
【図１０】
2019113240.tif 000012
【図１１】
2019113240.tif 000013
【図１２】
2019113240.tif 000014
【図１３】
2019113240.tif 000015